(57)【要約】【課題】通信装置の周囲のユーザの存在状況を自動的に判断して、特別なユーザ操作を必要とすることなく、通信データの出力状態をユーザの意図する状態に適切に制御することで、ユーザのプライシーを守ることができるようにする。【解決手段】通信装置１０の動作条件記憶部３は、携帯通信端末の識別情報と関連付けられたユーザ情報に応じて、通信装置の動作条件を記憶する。制御部１は、外部機器から通信が着信した際に、近距離無線通信部６により無線アクセスポイント１２と通信設定された携帯通信端末の存在を検索し、少なくとも検索された端末通信端末の識別情報に基づき、動作条件記憶部３から動作条件を読み出し、その読み出した動作条件で通信装置１０の動作を制御する。【選択図】図１
2014036352.tif 000002
【特許請求の範囲】
【請求項１】
ネットワークを介して接続された外部機器との間で通信を行う通信装置であって、
前記外部機器との間で映像信号及び音声信号を送受信するネットワーク通信部と、
特定の無線アクセスポイントとの間で近距離無線通信を行う近距離無線通信部と、
前記通信装置の各部を制御する制御部と、
少なくとも携帯通信端末の識別情報と関連付けられたユーザ情報に応じて、当該通信装置の動作条件を記憶する動作条件記憶部と、を有し、
前記制御部は、前記外部機器から通信が着信した際に、前記近距離無線通信部により前記無線アクセスポイントと通信設定された携帯通信端末の存在を検索し、少なくとも前記検索された端末通信端末の識別情報に基づき、前記動作条件記憶部から動作条件を読み出し、該読み出した動作条件で当該通信装置の動作を制御することを特徴とする通信装置。
【請求項２】
請求項１に記載の通信装置において、
前記動作条件記憶部は、前記携帯通信端末の識別情報と関連付けられたユーザ情報に加えて、通信の発信者の識別情報と、受信者の識別情報とに応じて、前記動作条件が定められて記憶され、
前記制御部は、前記通信が着信した際に、当該携帯通信端末の識別情報に関連付けられたユーザ情報に加えて、前記着信した通信の発信者と受信者の識別情報に基づき、前記動作条件記憶部から動作条件を読み出して当該通信装置の動作を制御することを特徴とする通信装置。
【請求項３】
請求項１または２に記載の通信装置において、
前記ネットワーク通信部により受信した映像信号を表示する表示部と、
前記ネットワーク通信部により受信した音声信号を出力する音声出力部とを有し、
前記動作条件記憶部に記憶される動作条件は、前記表示部による映像信号の表示、及び前記音声出力部による音声出力の動作を定める条件を含むことを特徴とする通信装置。
【請求項４】
請求項１〜３のいずれか１に記載の通信装置において、
前記制御部は、前記外部機器との通信中に、前記携帯通信端末の検索を継続して実行し、検索された携帯通信端末に増加または減少があった場合には、増加または減少後の携帯通信端末の識別情報に基づき、前記動作条件記憶部から動作条件を読み出して当該通信装置の動作を制御することを特徴とする通信装置。
【請求項５】
請求項１〜４のいずれか１に記載の通信装置において、
ユーザの操作入力を受け付ける操作入力部を有し、
前記制御部は、前記動作条件記憶部から読み出した動作条件により当該通信装置の動作の制御を行っているときに、前記操作入力部に対する操作入力に応じて当該通信装置の動作条件が変更された場合、前記動作条件記憶部に記憶されている動作条件を所定条件下で前記変更された動作条件に書き換えることを特徴とする通信装置。
【発明の詳細な説明】
【技術分野】
【０００１】
本発明は、通信装置に関し、より詳細には、外部機器との間でネットワークを介して通信可能に設定され、外部機器から送信された映像を表示するとともに、送信された音声を音声出力する通信装置に関する。
【背景技術】
【０００２】
近年、通信ネットワークの高速化や、映像や音声の符号化技術の進化に伴って、テレビ電話システムの普及が進みつつある。これらのテレビ電話システムでは標準プロトコルが採用されており、テレビ電話端末装置として、テレビ電話専用機器だけでなく、例えば、パーソナルコンピュータや携帯電話などの通信装置、あるいはネットワーク接続可能なテレビ受像機など、様々な機器を選択・使用することができるようになっている。
【０００３】
テレビ電話システムでは、例えば家庭内においてテレビ電話機能をもつ通信装置を家族等複数人で共有して使用するケースが想定される。従来のテレビ電話システムでは、このような環境で通信装置にテレビ電話が着信した場合、自動的に発信側のユーザを映像表示する。このような場合、例えば発信者が意図しない他人に発信者の映像が視認されてしまったり、着信したテレビ電話に対して誰でも応答可能であれば、発信者や受信者が意図しない他人に発信者を知られてしまい、プライバシーを守ることが難しい場合がある。
【０００４】
このような問題を回避する手法として、例えば特許文献１には、複数人で共有する装置でテレビ電話機能を利用する場合、発信者の意図しない相手に自分の映像が表示されないように相手を確認することで、プライバシーを確保するための通信装置が開示されている。
この通信装置は、ネットワーク接続された他の通信装置からの通信要求を受信したときに、他の携帯端末から認証情報を受信し、認証に失敗した場合、他の通信装置からの映像データを受信しないように制御する。これにより、複数人で共有する放送波受信装置のような装置でテレビ電話機能を利用する場合においても、発信者の意図しない相手に自分の映像が表示されることなく、プライバシーを確保することができるとされている。
【０００５】
また、特許文献２には、携帯電話等の通信装置に対して最小限の機能を付加するのみで、テレビ電話としての拡張機能を追加できるようにする通信システムが開示されている。
この通信システムは、二台の携帯電話間において、それぞれの基地局と回線網を介して音声による通信のための回線を接続したとき、各携帯電話は、ＯＣＮ（登録商標）からターミナルアダプタを介して画像データを通信するのに必要なＩＰアドレスを取得し、そのＩＰアドレスに向けて、ＯＣＮにより画像データを送信する。そして携帯電話のユーザの画像データが、ターミナルアダプタを介してテレビジョン受像機に表示される。これにより、ターミナルアダプタを介した通信回線を利用して、基地局を介した通信に必要なアクセス情報を通信するようにしたので、任意の場所で、簡単に、テレビ電話を行うことが可能となるとされている。
【先行技術文献】
【特許文献】
【０００６】
【特許文献１】特開２０１１−１５１５１２号公報
【特許文献２】特開平１１−２３４６４２公報
【発明の概要】
【発明が解決しようとする課題】
【０００７】
上記のように、テレビ電話システムのような発信者の映像が発信先で表示されるような通信システムにおいて、発信元のユーザの画像が意図せずに発信先の表示装置に表示されてしまったり、発信元のユーザが意図しない相手に知られてしまったりすることで、発信者のプライバシーを確保することができない、という課題があった。
【０００８】
特許文献１の通信装置は、発信者の意図しない相手に自分の映像が表示されることなく、プライバシーを確保するようにしたものであるが、テレビ電話機能を有する通信装置がプライバシーを確保する処理を自動的に行うものではなく、所定の携帯端末をユーザが操作して、認証処理を行う必要があり、システムが複雑になるとともに、ユーザの操作が煩雑になる。
また、特許文献２の通信システムでは、２台の携帯電話による一対一の音声接続が必要というシステム上の制約があり、通信装置を共同で使用する複数のユーザの存在を考慮してプライバシーを守ることができるようにしたものではない。
【０００９】
本発明は、上述のごとき実情に鑑みてなされたもので、通信装置の周囲のユーザの存在状況を自動的に判断して、特別なユーザ操作を必要とすることなく、通信データの出力状態をユーザの意図する状態に適切に制御することで、ユーザのプライシーを守ることができるようにした通信装置を提供することを目的とする。
【課題を解決するための手段】
【００１０】
上記課題を解決するために、本発明の第１の技術手段は、ネットワークを介して接続された外部機器との間で通信を行う通信装置であって、前記外部機器との間で映像信号及び音声信号を送受信するネットワーク通信部と、特定の無線アクセスポイントとの間で近距離無線通信を行う近距離無線通信部と、前記通信装置の各部を制御する制御部と、少なくとも携帯通信端末の識別情報と関連付けられたユーザ情報に応じて、当該通信装置の動作条件を記憶する動作条件記憶部と、を有し、前記制御部は、前記外部機器から通信が着信した際に、前記近距離無線通信部により前記無線アクセスポイントと通信設定された携帯通信端末の存在を検索し、少なくとも前記検索された端末通信端末の識別情報に基づき、前記動作条件記憶部から動作条件を読み出し、該読み出した動作条件で当該通信装置の動作を制御することを特徴としたものである。
【００１１】
第２の技術手段は、第１の技術手段において、前記動作条件記憶部は、前記携帯通信端末の識別情報と関連付けられたユーザ情報に加えて、通信の発信者の識別情報と、受信者の識別情報とに応じて、前記動作条件が定められて記憶され、前記制御部は、前記通信が着信した際に、当該携帯通信端末の識別情報に関連付けられたユーザ情報に加えて、前記着信した通信の発信者と受信者の識別情報に基づき、前記動作条件記憶部から動作条件を読み出して当該通信装置の動作を制御することを特徴としたものである。
【００１２】
第３の技術手段は、第１または２の技術手段において、前記ネットワーク通信部により受信した映像信号を表示する表示部と、前記ネットワーク通信部により受信した音声信号を出力する音声出力部とを有し、前記動作条件記憶部に記憶される動作条件は、前記表示部による映像信号の表示、及び前記音声出力部による音声出力の動作を定める条件を含むことを特徴としたものである。
【００１３】
第４の技術手段は、第１〜３のいずれか１の技術手段において、前記制御部は、前記外部機器との通信中に、前記携帯通信端末の検索を継続して実行し、検索された携帯通信端末に増加または減少があった場合には、増加または減少後の携帯通信端末の識別情報に基づき、前記動作条件記憶部から動作条件を読み出して当該通信装置の動作を制御することを特徴としたものである。
【００１４】
第５の技術手段は、第１〜４のいずれか１の技術手段において、ユーザの操作入力を受け付ける操作入力部を有し、前記制御部は、前記動作条件記憶部から読み出した動作条件により当該通信装置の動作の制御を行っているときに、前記操作入力部に対する操作入力に応じて当該通信装置の動作条件が変更された場合、前記動作条件記憶部に記憶されている動作条件を所定条件下で前記変更された動作条件に書き換えることを特徴としたものである。
【発明の効果】
【００１５】
本発明によれば、通信装置の周囲のユーザの存在状況を自動的に判断して、特別なユーザ操作を必要とすることなく、通信データの出力状態をユーザの意図する状態に適切に制御することで、ユーザのプライシーを守ることができるようにした通信装置を提供することができる。
【図面の簡単な説明】
【００１６】
【図１】本発明による通信装置の要部構成例を示すブロック図である。
【図２】通信装置の動作条件記憶部に記憶する動作条件の設定テーブルの一例を示す図である。
【図３】図２の動作条件設定の詳細の一例を示す図で、図２の設定テーブルに記憶した設定条件の詳細を示すものである。
【図４】本発明に係る通信装置における通信処理の一例を説明するためのフローチャートである。
【図５】本発明に係る通信装置における通信処理の一例を説明するためのフローチャートで、図４に続く図である。
【図６】本発明に係る通信装置における通信処理の一例を説明するためのフローチャートで、図５に続く図である。
【発明を実施するための形態】
【００１７】
図１は、本発明による通信装置の要部構成例を示すブロック図である。本実施形態の通信装置は、電話通信機能を持った端末にカメラと表示部とを組み合わせて、通信回線を介して使用者同士が相手の顔を見ながら話すことができるようにしたテレビ電話システムに適用したものである。なお、本発明に係る通信装置は、テレビ電話システムに使用する端末装置に限定されることなく、発信者から送信した映像と音声を受信側で再生して出力する通信システムに適用することができる。
【００１８】
本実施形態のテレビ電話機能を備えた通信装置１０は、制御部１、表示部２、動作条件記憶部３、カメラ制御部４、ネットワーク通信部５、近距離無線通信部６、音声出力部７、及び操作入力部８を有する。
制御部１は、通信装置１０の各部を制御する。特にテレビ電話通信を行う際に、通信データから発信者ＩＤと受信者ＩＤとを取得し、通信装置１０の周囲の携帯通信端末を検索して、これらの情報に応じて、適切にテレビ電話通信の動作状態を制御する処理を行う。
【００１９】
ネットワーク通信部５は、外部ネットワーク１１と接続し、外部ネットワークに接続された他の通信装置と通信を行う。ここでは、他の通信装置との間でテレビ電話による通信を可能とする。外部ネットワーク１１は、例えば公衆回線網を利用したネットワークで、インターネットプロトコルを利用して通信装置同士を相互接続するＩＰネットワークが適用される。
【００２０】
近距離無線通信部６は、無線アクセスポイント１２との間で通信を行う。無線アクセスポイント１２は、無線ＬＡＮ（Local Area Network）で端末間を接続する電波中継機であり、通常、無線アクセスポイント１２と各端末に所定のＩＤ情報が割り当てられ、無線アクセスポイント１２は特定の端末同士の通信しか中継しないようになっている。これにより、近距離無線通信部６が無線アクセスポイント１２と通信することで、無線アクセスポイントとの間で通信可能に設定されている携帯通信端末の存在を検索することができる。
【００２１】
表示部２は、画像表示可能なディスプレイにより構成される。通信装置１０が外部ネットワーク１１を介して接続した他の通信装置とテレビ電話による通信を行う際に、表示部２には、他の通信装置で撮影された発信者の映像を表示させることで、通信装置１０を使用する使用者が通信相手を見ながらテレビ電話による通信を行うことができる。
【００２２】
音声出力部７は、外部にスピーカ１４を接続し、音声出力制御を行う。通信装置１０が外部の他の通信装置との間でテレビ電話による通信を行う際に、外部の他の通信装置から送信された音声データは、音声出力部７によってスピーカ１４から音声出力される。
【００２３】
カメラ制御部４は、外部にカメラ１３を接続し、カメラ１３による撮影動作の制御を行う。通信装置１０が外部ネットワーク１１を介して接続した他の通信装置とテレビ電話による通信を行う際に、通信装置１０の使用者をカメラ１３で撮影してその撮影画像を通信相手の他の通信装置に送信する。これにより、外部の他の通信装置で、通信装置１０の使用者の映像を表示させてテレビ電話通信を行うことができる。
【００２４】
動作条件記憶部３には、テレビ電話の通信により受信した映像データ及び音声データの動作条件を設定するための設定テーブルを記憶する。
ここでは動作条件としては、テレビ電話の発信者ＩＤ、テレビ電話の受信者ＩＤ、及び無線アクセスポイント１２と通信設定されている携帯通信端末のＩＤ情報に関連付けられたユーザＩＤに応じて、テレビ電話通信時の表示部２における表示出力、スピーカ１４からの音声出力、その他留守通知の有無や、映像表示時の表示領域サイズの設定等の通信装置の動作を適宜定めることができる。
発信者ＩＤは、本発明の発信者の識別情報に該当し、受信者ＩＤは、本発明の受信者の識別情報に該当する。また、ユーザＩＤは、携帯通信端末のＩＤ（識別情報）と関連付けられた本発明のユーザ情報に該当する。
【００２５】
操作入力部８は、ユーザによる操作入力を受け付けるもので、例えばタッチパネル、キーやボタン類、マウス等のポインティングデバイス、あるいはリモコン受信部等により構成される。ユーザは操作入力部８を使用して、例えば、テレビ電話による発信元の映像表示を停止させたり、音声出力を停止させたり、あるいはテレビ電話の表示画面の大きさを変更する等の操作を適宜行うことができる。
【００２６】
テレビ電話にて通信されるデータは、カメラにて撮像された映像データと、マイクロフォン等から入力された音声データと、テレビ電話通信を行う際の制御に用いられる通信制御データとから構成される。ここでは通信制御データには、テレビ電話の発信者ＩＤと、受信者ＩＤとを含むものとする。例えば、発信者ＩＤ及び受信者ＩＤは、テレビ電話による通信を行う通信装置またはユーザに対して、重複がないようにサーバ等から割り振られたＩＤとすることができる。他の通信装置からテレビ電話による通信が着信した通信装置１０では、通信制御データから発信者ＩＤと受信者ＩＤとを取得することができる。
【００２７】
また、携帯通信端末のＩＤ情報は、予め無線アクセスポイント１２との間で通信を行う設定がなされた携帯通信端末のＩＤ情報である。このＩＤ情報は、通信装置１０を使用するユーザ、あるいは通信装置１０を設置した場所にいる可能性のあるユーザが保持する携帯通信端末に設定されたＩＤ情報とする。携帯通信端末のＩＤ情報は、予め特定のユーザＩＤと関連付け、動作条件記憶部３に記憶させておく。制御部１は、携帯通信端末の存在を検索することで、その携帯通信端末に関連付けられているユーザが通信装置１０の近くにいるものと判断することができる。
ここではユーザＩＤは、受信者ＩＤ及び送信者ＩＤとの一致、不一致を判断できるＩＤとする。例えば受信者ＩＤと同じＩＤを使用して携帯通信端末のＩＤと関連付けておくことができる。これにより、受信者ＩＤとは異なる他のユーザの存在の有無を判断することができる。
【００２８】
制御部１は、外部の他の通信装置からテレビ電話による通信が着信した際に、通信制御データから発信者ＩＤと受信者ＩＤとを取得する。そして制御部１は、近距離無線通信部６を制御して無線アクセスポイント１２と通信して、予め無線アクセスポイント１２との間で通信設定がされている携帯通信端末を検索し、無線アクセスポイント１２の通信圏内に存在する携帯通信端末のＩＤ情報を取得する。そして動作条件記憶部３を参照し、携帯通信端末のＩＤから、そのＩＤに関連付けられて記憶されているユーザＩＤを判断する。
【００２９】
次に制御部１は、動作条件記憶部３に記憶されている設定テーブルを参照し、発信者ＩＤと、受信者ＩＤと、携帯通信端末のＩＤから判断したユーザＩＤとから、通信装置を動作させる動作条件を取得する。動作条件には、表示部２及び音声出力部７から出力すべき映像及び音声の出力設定等が含まれる。そして制御部１は、取得した動作条件に従って、表示部２及び音声出力部７等の各部を制御して、表示及び音声出力、あるいはその他の動作を実行させる。
【００３０】
図２は、通信装置の動作条件記憶部に記憶する動作条件の設定テーブルの一例を示す図である。
上記のように、動作条件記憶部３には、表示出力及び音声出力等の動作条件が定められた設定テーブルが記憶されている。この設定テーブルでは、テレビ電話の発信者ＩＤと、受信者ＩＤと、無線アクセスポイント１２との間で通信設定されている携帯通信端末のＩＤ情報に関連付けられたユーザＩＤに応じて、動作条件が定められる。
【００３１】
例えば、発信者が意図するユーザのみが通信装置１０の周囲にいると判断される場合、発信者の映像を受信側の通信装置１０で表示させるように設定し、意図しないユーザがいると判断したときには、発信者の映像を受信側で表示させずに例えば音声通話のみを可能とすることで、プライバシーを守ることができるようにする。これらの動作条件は、発信者、受信者、通信装置１０周囲のユーザの状態に応じて、予め適宜定めておくことができ、さらにユーザの設定変更に伴って適宜適切な動作条件に更新させることができる。
【００３２】
図２の設定テーブルの例では、例えば、発信者ＩＤが“ＩＤ＿Ａ”で、受信者ＩＤが“ＩＤ＿Ｄ”である場合には、“条件無し”が該当し、通信装置１０の周囲の携帯通信端末の検索結果に関わりなく、常に“設定１”で出力設定する。
【００３３】
また、発信者ＩＤが“ＩＤ＿Ａ”で、受信者ＩＤが“ＩＤ＿Ｅ”である場合には、携帯通信端末の検索結果に応じて設定を変更する。
例えば、ＩＤが“Ｄ”のユーザ情報が関連付けられた携帯通信端末が検索された場合には、“設定１”で出力設定を行い、ＩＤがＦのユーザ情報が関連付けられた携帯通信端末が検索された場合には、“設定２”で出力設定を行う。この場合、受信者を除く他のユーザのＩＤに基づいて動作条件を設定するため、ユーザＩＤに“Ｄ”を含む条件については、動作条件が設定されない。
【００３４】
また、携帯通信端末の検索結果が上記以外の状態であった場合は、予め動作条件が設定されていないため、所定のデフォルト（ｄｅｆａｕｌｔ）の動作条件で設定する。設定テーブルのデフォルトの動作条件は、ユーザ操作による動作条件の設定変更に応じて書き換えることで、実際にユーザが設定した動作条件を設定テーブルに記憶させることができる。
【００３５】
上記のように、設定テーブルでは、発信者ＩＤと、受信者ＩＤと、受信者を除く他のユーザＩＤとの組み合わせに応じて動作条件が予め設定されるが、更に他の項目を追加して動作条件を設定するようにしてもよい。例えば、視聴環境設定として、ユーザが普段よく視聴する放送チャンネルを登録したチャンネルにより表示を行うお好みチャンネル設定や、お好みチャンネル設定を使用しない通常チャンネル設定などの設定状態に応じて、動作条件を定めることができる。これらの項目は、図２の設定テーブルに追加して、動作条件を定めておくことができる。
【００３６】
図３は、図２の動作条件設定の詳細の一例を示す図で、図２の設定テーブルに記憶した動作条件の詳細を示すものである。
動作条件を定める項目としては、表示部２における映像表示のＯＮ／ＯＦＦ、音声出力部７による音声出力のＯＮ／ＯＦＦの設定の他、受信側でテレビ電話の発呼に応答しないときに発信側に通知する留守通知のＯＮ／ＯＦＦ、表示時の表示画面サイズの設定、などが含まれる。
【００３７】
図２のデフォルト（ｄｅｆａｕｌｔ）の設定では、表示部２をＯＦＦ、音声出力部７をＯＮ、留守通知をＯＦＦにして映像表示と音声出力を行わせる設定を行うことができる。また、デフォルト設定時における映像の表示領域のサイズが適宜定められている。例えば、表示領域として全画面設定、１／２サイズ画面設定、子画面設定などの大きさ設定で映像を表示させるように設定することができる。
また、“設定１”では、表示部２による表示をＯＮにし、音声出力部７からの音声出力をＯＮにし、留守通知はＯＦＦである。ここでも表示領域サイズが適宜定められている。同様に、設定２〜４についても表示部、音声出力、留守通知、表示領域サイズ等が設定されている。
【００３８】
表示部の表示、音声出力、留守通知、画面サイズ等の設定項目はこれらに限定されることなく、さらに他の設定項目を適宜設定することができる。例えば、通信装置周囲のユーザの存在状態に応じて、スピーカからの音声出力と、ヘッドホンからの音声出力とを切り換えるような設定も可能である。
【００３９】
図３に示す各設定条件は、テレビ電話の通信に使用されたときにユーザに変更されることにより、その変更された動作条件に更新される。その後は、新しい動作条件にて動作制御が行われる。この場合、動作条件が変更されたときに直ちに設定テーブルを書き換えることなく、同じ動作条件が一定回数設定されたときに、設定テーブルを書き換えるようにしてもよい。つまり、制御部１は、通信装置１０の動作制御を行っているときに、操作入力部８に対する操作入力に応じて通信装置１０の動作条件が変更された場合、動作条件記憶部３に記憶されている動作条件を、所定条件下で変更された動作条件に書き換える処理を行う。
【００４０】
上記のようにして、通信装置１０では、テレビ電話の着信時に、通信データから発信者ＩＤと受信者ＩＤとを取得し、さらに無線アクセスポイント１２により携帯通信端末の存在を検索することで、これらの条件に応じて表示出力、音声出力等の動作条件を自動的に設定することができる。通信装置１０を使用するユーザは、例えば、テレビ電話を使用する各ユーザから、そのユーザが意図する動作状態の情報を得て、その動作状態に基づいて設定テーブルに動作条件を設定しておくことにより、各ユーザが意図するような動作状態で通信装置１０を動作させるようすることができる。
【００４１】
なお、図２、図３の設定テーブルの例では、テレビ電話の通信制御データから取得する送信者ＩＤと受信者ＩＤとを基に動作条件を設定しているが、送信者ＩＤとして、例えば発信側の通信装置のＩＰアドレスを発信者ＩＤとし、テレビ電話の通信時に発信側の識別情報として受信側で取得することができる発信者側のＩＰアドレスを使用して、設定テーブルを参照するようにしてもよい。また、受信側においても、受信側の通信装置のＩＰアドレスを受信者ＩＤとして、設定テーブルを参照するようにしてもよい。
【００４２】
これら通信装置自体の識別情報を用いる場合、例えば複数のユーザにより共有されている通信装置において、受信側のユーザごとに動作条件を設定できないが、この場合であっても、発信側の通信装置を使用するユーザの意図に従って、携帯通信端末の検索結果に応じた動作条件を適宜任意に設定することができる。
【００４３】
図４〜図６は、本発明に係る通信装置における通信処理の一例を説明するためのフローチャートである。図１の通信装置１０の構成を参照しながらその処理を説明する。
通信装置１０では、まず外部の他の通信装置からテレビ電話による通信が着信し、映像、音声のデータを受信した場合（ステップＳ１−Ｙｅｓ）、制御部１は、通信データから受信者ＩＤと送信者ＩＤとを取得する（ステップＳ２）。さらに制御部１は、近距離無線通信部６を制御して無線アクセスポイント１２と通信し、周囲に存在する携帯通信端末を検索する（ステップＳ３）。そして制御部１は、検索した携帯通信端末のＩＤからそのＩＤに予め関連付けられているユーザＩＤを特定する（ステップＳ４）。
【００４４】
そして制御部１は、動作条件記憶部３に記憶されている設定テーブルから動作条件を読み出す（ステップＳ５）。ここでは、制御部１は、受信したテレビ電話の送信者ＩＤと、受信者ＩＤと、検索した携帯通信端末に対応付けられたユーザＩＤとに応じて、設定テーブルに設定されている動作条件を読み出す。設定テーブルは、例えば図２〜図３に示すようなテーブルデータである。
そして制御部１は、設定テーブルから読み出した動作条件に従って、留守通知を行う必要あるか否かを判断する（ステップＳ６）。ここで留守通知が必要であれば、制御部１は、ネットワーク通信部５を介して、発信元の他の通信装置に対して所定の留守通知を送信し（ステップＳ２６）、処理を終了する。
【００４５】
一方、ステップＳ６で留守通知が必要なければ、制御部１は、読み出した動作条件に従って通信装置の設定を行う（ステップＳ７）。例えば、読み出した動作条件に従って、映像表示を行う否かを判定し、映像表示を行うのであれば、その表示画面レイアウトを表示部２に設定する。また、映像表示を行わないのであれば、表示部２による映像表示を停止する等の動作設定を行う。あるいは、読み出した動作条件に従って、音声出力を停止するのであれば、テレビ電話により受信した音声データを出力させないような設定を行う。
そしてこの後、制御部１はテレビ電話に通話処理を開始する（ステップＳ８）。これにより、通信装置１０のユーザは、発信先の通信相手との間でテレビ電話による通信を開始する。このときの通信装置１０の動作状態は、設定テーブルから読み出された動作条件に従う。
【００４６】
そして通話処理中に、ユーザによる設定変更の操作入力を受け付けた場合（ステップＳ９−Ｙｅｓ）、制御部１は、その設定変更の操作入力に応じて、通信装置の動作条件の設定を変更する（ステップＳ１０）。例えば、テレビ電話の通話時に映像表示をＯＦＦとしていたものが、ユーザ操作によってＯＮになったときに、停止していた映像表示の停止を解除して、表示部２に映像表示を行うようにする。
【００４７】
制御部１は、ユーザにより変更された動作条件を動作条件記憶部３に記憶する（ステップＳ１１）。ここで、ユーザにより動作条件が変更された際に、同一の動作条件に変更された回数をカウントし、そのカウント数が所定の数Ｎ１に達したか否かを判断する（ステップＳ１２）。そしてカウント数がＮ１に達していれば、設定テーブルの動作条件を書き換えて（ステップＳ１３）、ステップＳ１４の処理に進む。また、ステップＳ９で設定変更を受け付けず、あるいはステップＳ１２で同一条件へ変更された回数がＮ１に達していなければ、次のステップＳ１４の処理に進む。
【００４８】
ステップＳ１４では、制御部１は、表示部２に表示させる映像の表示領域の大きさを変変更するユーザ操作を受け付けたか否かを判定する。ユーザ操作による表示領域の大きさ変更を受け付けた場合、制御部１は、その操作入力に応じて、表示部２に表示させる映像の表示領域の大きさを変更する（ステップＳ１５）。例えば、テレビ電話の通話時に表示部２の全画面で映像表示させていたものが、ユーザ操作によって小さい表示領域の子画面表示に変更された場合、その子画面の大きさで表示部２に映像表示を行うようにする。
【００４９】
そして制御部１は、ユーザにより変更された表示領域の大きさを動作条件記憶部３に記憶する（ステップＳ１６）。ここで、ユーザにより表示領域の大きさが変更された際に、同一の表示領域に変更された回数をカウントし、そのカウント数が所定の数Ｎ２に達したか否かを判断する（ステップＳ１７）。そしてカウント数がＮ２に達していれば、設定テーブルの動作条件を、その表示領域の大きさを設定する動作条件に書き換えて（ステップＳ１８）、ステップＳ１９の処理に進む。また、ステップＳ１４で表示領域の大きさの変更を受け付けず、あるいはステップＳ１７で同一の表示領域へ変更された回数がＮ２に達していなければ、次のステップＳ１９の処理に進む。
【００５０】
ステップＳ１９では、制御部１は、近距離無線通信部６を制御して無線アクセスポイント１２と通信し、周囲に存在する携帯通信端末を検索する。そして制御部１は、検索した携帯通信端末のＩＤからそのＩＤに関連付けられているユーザＩＤを特定する（ステップＳ２０）。
【００５１】
携帯通信端末を検索した結果、周囲の携帯通信端末が増加または減少していれば（ステップＳ２１−Ｙｅｓ）、制御部１は、携帯通信端末の増減に基づく新たな動作条件を設定テーブルから読み出す（ステップＳ２２）。そして読み出した動作条件を通信装置に設定する（ステップＳ２３）。例えば、携帯通信端末の検索状態に応じて映像表示中であるとき、新たに検索された携帯通信端末に基づく動作条件が、映像表示をＯＦＦにする動作条件であった場合、映像表示を停止して、映像表示をＯＦＦにする設定を行う。これにより、例えば通話中に、送信者が意図しないユーザが通信装置の周囲に入ってきたと判断されたときには、その意図しないユーザが映像を視認することができないように、映像表示を停止させることができる。
【００５２】
そして、通話処理を停止させる指示があった場合には、制御部１は、通話処理を停止し（ステップＳ２５）、処理を終了する。停止指示がなければ、ステップＳ９に戻る。これにより、動作条件の設定変更、表示領域の大きさ変更、及び携帯通信端末の増減を監視する処理が、通話処理を停止する指示があるまで継続して繰り返し実行されることになる。つまり、ここでは、通話処理中に設定の変更や、周囲の携帯通信端末の増減を監視する動作が行われる。
上記の処理により、通信装置１０では、通信を行う発信者と受信者の識別情報（ＩＤ）と、通信装置の周囲の他のユーザの存在状況を自動的に判断して、特別なユーザ操作を必要とすることなく、通信データの出力状態をユーザの意図する状態に適切に制御することで、ユーザのプライシーを守ることができるようする。
【符号の説明】
【００５３】
１…制御部、２…表示部、３…動作条件記憶部、４…カメラ制御部、５…ネットワーク通信部、６…近距離無線通信部、７…音声出力部、８…操作入力部、１０…通信装置、１１…外部ネットワーク、１２…無線アクセスポイント、１３…カメラ、１４…スピーカ。
【図１】
2014036352.tif 000003
【図２】
2014036352.tif 000004
【図３】
2014036352.tif 000005
【図４】
2014036352.tif 000006
【図５】
2014036352.tif 000007
【図６】
2014036352.tif 000008